(57)【要約】【課題】従来のコンデンサ収容箱（３３）では、ヒューズあるいはコンデンサの一部交換が必要な場合でもコンデンサ収容箱（３３）本体を交換する必要があった。本発明は、コンデンサ収容箱（２３）を構成する並列接続されているコンデンサ数に冗長度を持たせ、一部のコンデンサあるいはヒューズの交換が必要な場合に、コンデンサ収容箱（２３）本体を交換することなく、故障部品のみを交換できるコンデンサ収容箱（２３）と交換手順を提供することを目的とする。【解決手段】コンデンサ収容箱（２３）を構成する並列接続されているコンデンサ数に冗長度を持たせ、コンデンサあるいはヒューズの一つが故障してもコンデンサ総容量低下を直流給電系が安定する範囲内に収め、コンデンサ及びヒューズを交換する場合に発生する突入電流を抑制する回路を併せて採用して、部品交換工事に伴う通信障害を回避することを目的としている。【選択図】図１
2006196406.tif 000002
【特許請求の範囲】
【請求項１】
電源装置から通信装置に供給する電源電圧を平滑化するために電流分配装置に付加して使用される複数のコンデンサを並列配置するコンデンサ収容箱であって、
コンデンサ収容箱内の並列配置されたコンデンサに突入電流が流れないように電源装置からコンデンサに流れる電流を制限してコンデンサを選択的に充電する回路と、
コンデンサ充電完了後に前記充電回路を短絡して電源装置からの電源電圧をコンデンサに直接的に供給するように前記充電回路に並列的に設けたとヒューズ端子台と、
ヒューズ端子台を直列接続したコンデンサと、
を有することを特徴とするコンデンサ収容箱。
【請求項２】
請求項１の選択的にコンデンサを充電する回路がスイッチ群で構成されることを特徴とするコンデンサ収容箱。
【請求項３】
請求項１の選択的にコンデンサを充電する回路がヒューズ端子台群で構成されることを特徴とするコンデンサ収容箱。
【請求項４】
電源装置から通信装置に供給される電源電圧を平滑化するために電流分配装置に付加して使用される予備コンデンサを有するコンデンサ収容箱の修理方法であって、故障したコンデンサを取替え後に、電源装置からコンデンサ収容箱内の交換したコンデンサに突入電流が流れないように、前記コンデンサに流れる電流を制限して選択的に前記コンデンサを充電する第一の手順と、
前記コンデンサ充電完了後に前記充電回路を短絡して、電源装置からの電源電圧を前記コンデンサに直接的に供給する第二の手順と、
を特徴とする前記コンデンサ収容箱のコンデンサ取替え方法。
【発明の詳細な説明】
【技術分野】
【０００１】
本発明は通信設備に直流電力を供給する電源装置に接続して給電系の安定性を確保するためのコンデンサ収容箱に関する。詳しくは、電源装置から通信設備に供給する電源電圧を平滑化するためのコンデンサ収容箱内の並列接続コンデンサ接続数に冗長度を持たせ、収容箱内のヒューズやコンデンサの交換が必要な場合に、収容箱全体を交換することなく、交換部品のみ安全に交換できるコンデンサ収容箱に関する。
【背景技術】
【０００２】
これまで使われてきているコンデンサ収容箱の一例を図３に示す。通信装置（４）は電流分配装置（２）を介して電源装置（１）から直流電力の供給を受ける。電源装置（１）から数メートルないし数百メートル離れた場所に電流分配装置（２）が配置され、電源装置（１）と電流分配装置（２）とは直流給電ケーブル（１００）によって接続される。電流分配装置（２）の内部または外部にコンデンサ収容箱（３３）を設け、これらを直流給電ケーブル（１００）により通信装置（４）と接続して、供給電源電圧の安定化を図っている。図３ではコンデンサ収容箱（３３）を電流分配装置（２）の外部に設置した例を示している。
【０００３】
通常、電流分配装置（２）内には複数のヒューズポスト（ＦＰ）が設けられており、該当するＦＰの接続点（Ｏ１）を介して３ｍ未満の直流給電ケーブル（１００）によりコンデンサ収容箱（３３）の接続点（１Ｄ）と電源装置（１）が接続される。
【０００４】
コンデンサ収容箱（３３）の内部では、接続点（１Ｄ）と接続点（５Ｄ）の間にヒューズ端子台（ＦＵ１Ｄ）とヒューズ端子台（ＦＵ２Ｄ）が並列に接続される。接続点（１Ｄ）と接続点（２Ｄ）間にはメーク接点を有するスイッチ（ＳＷ１Ｄ）が接続される。接続点（２Ｄ）と接続点（４Ｄ）間には抵抗（Ｒ３）が接続される。また、接続点（２Ｄ）と接続点（４Ｄ）間には直列抵抗（Ｒ４）を有する充電状態表示用発光ダイオード（ＬＥＤ）が接続される。発光ダイオード（ＬＥＤ）と逆流阻止ダイオード（Ｄ）が並列に接続されている。接続点（４Ｄ）は接続点（５Ｄ）に接続される。接続点（５Ｄ）と接続点（６Ｄ）間には、コンデンサ（Ｃ３ｎ）とヒューズ端子台（ＦＵｎＥ）とを直列接続したコンデンサ群（ｎ＝１〜６）が並列に接続されている。
【０００５】
コンデンサ収容箱（３３）を電流分配装置（２）に接続する手順を以下に説明する。まず、直流給電ケーブル（１００）を介して電流分配装置（２）にコンデンサ収容箱（３３）を接続し、ヒューズ端子台（ＦＵｎＥ）全てにヒューズを挿入する（ｎ＝１〜６）。次に、電流分配装置（２）の該当するヒューズポスト（ＦＰ）にショートヒューズを挿入し、充電スイッチ（ＳＷ１Ｄ）をオンにすると接点が閉じて全てのコンデンサ（Ｃ３ｎ：ｎ＝１〜６）が抵抗（Ｒ３）と発光ダイオード（ＬＥＤ）とヒューズ端子台（ＦＵｎＥ：ｎ＝１〜６）とを経由する並列電流路によって同時に緩やかに充電される。充電時はＬＥＤに電流が流れているのでＬＥＤが点灯し、充電が終了するとＬＥＤには電流が流れなくなり消灯する。ＬＥＤが消灯した後、ＦＵ１Ｄ、ＦＵ２Ｄにショートヒューズを挿入して、直流給電系にコンデンサ収容箱（３３）が安全に接続される。ショートヒューズはショートプラグと呼ばれることがあり、切断時の定格電流の上限値が通常のヒューズより大きく設定されている。ＦＵ１Ｄ、ＦＵ２Ｄにショートヒューズを挿入した後にＳＷ１Ｄをオフにして置く。
【０００６】
直流給電系の安定性は、電流分配装置（２）に接続されている通信装置（４）の消費電力、通信装置（４）電源部の配線抵抗と電気容量、電流分配装置（２）と通信装置（４）とを結ぶ直流給電ケーブル（１００）の配線インダクタンスと抵抗とで決まる。例えば、一定の電力で動作する通信装置の電源電流が増加すると電源入力電圧が低下して直流給電系は不安定になる。通信装置（４）のキャパシタンスが小さくかつ直流給電ケーブル（１００）の寄生インダクタンスが大きい場合も不安定になる。コンデンサ収容箱（３３）に搭載されているコンデンサはこのような不安定状態を回避するために、常に電流分配装置（２）に接続されて通電されている。
【０００７】
直流給電系の安定化で必要とするコンデンサ収容箱（３３）のコンデンサ総容量をＣとすると、通常、それをＮ分割したコンデンサをＮ個並列接続して総容量Ｃを確保して、１個のコンデンサが劣化したときの直流給電系への影響を最小限にする工夫がなされている。
【０００８】
図３では６分割した例を示しているが、分割数は６より大きくても小さくても良い。分割数を大きくすれば、コンデンサの１個が劣化あるいは故障したときの直流給電系への影響は少なくなる。必要以上に分割数を大きくすると、部品点数が増え、信頼度への影響とコンデンサ収容箱（３３）の価格への影響が懸念される。分割数はコンデンサ収容箱（３３）の性能、大きさ、信頼性、価格等を考慮して決められている。このような配慮をしても、経年劣化等によってコンデンサが容量低下を起こす場合、またはヒューズが遮断する場合があれば、コンデンサ収容箱（３３）のコンデンサ総容量が減少し、直流給電系の安定化に障害を与える場合がある。
【０００９】
電流分配装置（２）にコンデンサ収容箱（３３）を接続するための手順を自動化した公知例があるが（例えば特許文献１）、コンデンサ収容箱（３３）内の一部のコンデンサあるいはヒューズが故障した場合に、コンデンサ収容箱（３３）を電流分配装置（２）に接続した状態で、故障部品のみを交換できる従来技術は見当たらない。
【特許文献１】特開２００４−１５９４６３号公報
【発明の開示】
【発明が解決しようとする課題】
【００１０】
コンデンサ（Ｃ３ｎ）、またはヒューズ端子台（ＦＵｎＥ）の１個が故障した場合、コンデンサの総容量値が低下する。その際に、故障したコンデンサあるいはヒューズを取外し、新しいコンデンサあるいは新しいヒューズと交換しなければならない。このとき、従来のコンデンサ収容箱（３３）では、部分的なヒューズあるいはコンデンサの交換は不可能であった。コンデンサ収容箱（３３）のヒューズあるいはコンデンサの一部交換が必要な場合でもコンデンサ収容箱（３３）本体を交換する必要があった。本発明は、コンデンサ収容箱（２３）を構成する並列接続コンデンサ数に冗長度を持たせ、―部のコンデンサあるいはヒューズの交換が必要な場合に、コンデンサ収容箱（２３）本体を交換することなく、故障部品のみを交換できるコンデンサ収容箱（２３）提供することを目的とする。
【課題を解決するための手段】
【００１１】
請求項１、２、３、４に記載した発明は、コンデンサ収容箱（２３）を構成する並列接続コンデンサ数に冗長度を持たせ、コンデンサあるいはヒューズの１個以上が故障してもコンデンサ総容量低下を直流給電系が不安定化しない範囲内に収め、コンデンサ及びヒューズを交換する場合に発生する突入電流を抑制する回路を併せて採用し、部品交換工事に伴う通信障害を回避することを目的としている。
【発明の効果】
【００１２】
請求項１、２、３、４の発明によれば、コンデンサ収容箱内のヒューズあるいはコンデンサの交換が必要になった場合に、ヒューズ及びコンデンサ数に冗長度を持たせることにより、一部のコンデンサあるいはヒューズの交換が必要な場合に、コンデンサ収容箱全体を交換しなくとも、コンデンサ収容箱を直流給電系に接続したまま、部品交換時に突入電流を発生させることなく、直流給電系への影響を最小限にとどめて、安全に故障部品のみ交換できる効果が期待される。
【発明を実施するための最良の形態】
【００１３】
以下、本発明の実施形態を図面に基づいて説明する。
【００１４】
（実施例１）
請求項１、２、４いずれかの具体的な実施例を説明する。
図１は本発明の請求項１乃至２であるコンデンサ収容箱（３）の構成とそれに接続される直流給電系を示している。一部のコンデンサあるいはヒューズが劣化したとき、コンデンサ収容箱全体を交換しなくとも、コンデンサ収容箱を直流給電系に接続したまま、直流給電系への影響を最小限にして、故障部品のみ安全に交換する方法と装置の実施例である。
【００１５】
本実施例では直流給電系の安定化で必要とするコンデンサ収容箱（３）のコンデンサ総容量を６分割したコンデンサ６個を用意してそれを６個並列接続したうえに、冗長度を持たせるために、さらにコンデンサを１個追加して並列接続した構成例を説明する。追加する１個のコンデンサ容量値は、先の６個のコンデンサの中で最大容量のものと同一とするのが好ましい。通常は並列接続されるコンデンサの容量値は同じに設定されているので、冗長度を持たせるために追加接続するコンデンサの容量値も同一とする。
【００１６】
図中のスイッチ（ＳＷ１、ＳＷｎＢ：ｎ＝０〜７）は全てメーク接点を有するスイッチで、スイッチをオンした状態で接点は閉路する。
【００１７】
まず、ヒューズ端子台（ＦＵ１Ａ）とヒューズ端子台（ＦＵ２Ａ） にヒューズを挿入しない状態で、ヒューズ端子台群（ＦＵｎＢ：ｎ＝１〜７）すべてにヒューズを挿入する。次に、充電スイッチ（ＳＷ１）がオフの状態で、切替えスイッチ群（ＳＷｎＢ：ｎ＝０〜７）のＳＷ０Ｂだけをオンする。さらに、直流分配装置（２）内のヒューズポスト（ＦＰ）の接続点（Ｏ１）とコンデンサ収容箱（３）の接続点（１Ａ）とを直流給電ケーブル(１００)で接続して、ＦＰにショートヒューズを挿入する。この状態ではヒューズ端子台（ＦＵ１Ａ）とヒューズ端子台（ＦＵ２Ａ） にはヒューズが挿入されていないうえに、充電スイッチ（ＳＷ１）は開路状態であるため、直流分配装置（２）からコンデンサ群（Ｃｎ：ｎ＝１〜７）に充電電流が流れ込むことはない。
【００１８】
充電スイッチ（ＳＷ１）をオンすると、直列抵抗（Ｒ２）を有す充電状態表示用発光ダイオード（ＬＥＤ）と、抵抗（Ｒ１）とで構成される並列回路を通じて、接続点（５Ａ）と接続点（６Ａ）間に並列接続されているヒューズ端子台（ＦＵｎＢ：ｎ＝１〜７）を有するコンデンサ群（Ｃｎ：ｎ＝１〜７）に充電電流が流れてコンデンサ群（Ｃｎ：ｎ＝１〜７）が充電される。
【００１９】
接続点（５Ａ）と接続点（６Ａ）間に流れる充電電流は抵抗（Ｒ１）と抵抗（Ｒ２）とＬＥＤの内部抵抗によって十分に抑制できるので、直流給電系に電圧変動を発生させることはない。コンデンサ群（Ｃｎ：ｎ＝１〜７）の充電が完了するとＬＥＤに充電電流が流れなくなり、ＬＥＤは消灯する。
【００２０】
ＬＥＤが消灯するのを確認してから、ヒューズ端子台（ＦＵ１Ａ）とヒューズ端子台（ＦＵ２Ａ） にショートヒューズを挿入する。このとき、既にコンデンサ群（Ｃｎ：ｎ＝１〜７）は充電を完了しているので接続点（１Ａ）と接続点（５Ａ）間には電位差がない。したがって、ショートヒューズ挿入時に接続点（１Ａ）と接続点（５Ａ）間に電流が流れることはなく、電流分配装置（２）に電圧変動を与えない。こうして、電圧変動を与えることなく直流給電系にコンデンサ収容箱（３）が安全に接続される。ＦＵ１Ａ、ＦＵ２Ａにショートヒューズを挿入した後にＳＷ１Ａをオフにして置く。本例では、コンデンサ収容箱（３）の信頼度を向上する目的で、コンデンサ収容箱（３）内にヒューズ端子台（ＦＵ１Ａ）とヒューズ端子台（ＦＵ２Ａ）の２台のヒューズ端子台を設けているが、ＦＵ１ＡあるいはＦＵ２Ａのみの１台構成であっても良い。
【００２１】
本例では、ヒューズあるいはコンデンサに１個の冗長度を持たせているので、コンデンサ収容箱（３）内部のヒューズあるいはコンデンサの１個が故障した場合、直流給電系に大きな電圧変動を発生させることなく、コンデンサ収容箱（３）を直流給電系に接続したまま、故障のヒューズあるいはコンデンサを交換できる。
【００２２】
例えば、コンデンサ（Ｃ１）の交換が必要になった場合、充電スイッチ（ＳＷ１）のオフ状態を確認して、ヒューズ端子台（ＦＵ１Ｂ）からヒューズを取外し、コンデンサ（Ｃ１）の選択スイッチ（ＳＷ１Ｂ）だけをオンする。他の選択スイッチ（ＳＷｎＢ：ｎ≠１）はオフのままとする。このとき、ヒューズ端子台（ＦＵ１Ｂ）にヒューズが未挿入で、充電スイッチ（ＳＷ１）がオフしているため、コンデンサ（Ｃ１）に充電電流が流れることは無い。
【００２３】
この状態で充電スイッチ（ＳＷ１）をオンすると、抵抗（Ｒ１）と発光ダイオード（ＬＥＤ）とを経由する並列電流路によってコンデンサ（Ｃ１）は緩やかに充電される。充電時は発光ダイオード（ＬＥＤ）が点灯する。コンデンサ（Ｃ１）の充電が完了すると発光ダイオード（ＬＥＤ）が消灯する。
【００２４】
次に、ヒューズ端子台（ＦＵ１Ｂ）にヒューズを挿入する。接続点（１Ｂ）と接続点（５Ａ）間には電位差が無いので、ヒューズを挿入してもヒューズに電流が流れることはない。こうして、交換したコンデンサが直流給電系に組み込まれる。最後に充電スイッチ（ＳＷ１）をオフして抵抗（Ｒ１）と発光ダイオード（ＬＥＤ）とを経由する充電回路を切り離す。
【００２５】
他のコンデンサ（Ｃｎ：ｎ＝２〜７）の交換が必要になった場合も上記したコンデンサ（Ｃ１）の交換例と同様な手順で交換する。またヒューズ端子台（ＦＵｎＢ、ｎ＝１〜７）のヒューズの交換が必要な場合も同様の手順によって新しいヒューズに交換できる。
【００２６】
これまで、コンデンサの冗長度が１の事例を説明したが、冗長度２以上でも、コンデンサ収容箱全体を交換しなくとも、コンデンサ収容箱を直流給電系に接続したままで、部品交換時に突入電流が発生することなく、直流給電系への影響を最小限にとどめて、故障部品のみを１個ずつ、上記した手順で交換できることは明白である。
【００２７】
（実施例２）
本実施例は、請求項１、３、４いずれかの発明の具体的な実施例である。図２にコンデンサ収容箱（２３）の構成とそれを接続した直流給電系を示している。一部のコンデンサあるいはヒューズが劣化したとき、コンデンサ収容箱全体を交換しなくとも、コンデンサ収容箱を直流給電系に接続したまま、直流給電系への影響を最小限にして、故障部品のみ安全に交換する方法と装置の実施例である。図1の選択スイッチ群（ＳＷｎＢ：ｎ＝０〜７）を選択ヒューズ端子台群（ＦＵｎＣ、ｎ＝０〜７）に置き換えた構成が図２である。図中の充電スイッチ（ＳＷ１）はメーク接点を有するスイッチで、スイッチをオンした状態で接点は閉路する。
【００２８】
まず、ヒューズ端子台（ＦＵ１Ａ）とヒューズ端子台（ＦＵ２Ａ） にヒューズを挿入しない状態で、ヒューズ端子台群（ＦＵｎＢ：ｎ＝１〜７）すべてにヒューズを挿入する。次に、充電スイッチ（ＳＷ１）がオフの状態で、選択ヒューズ端子台群（ＦＵｎＣ、ｎ＝０〜７）の１つのヒューズ端子台（ＦＵ０Ｃ）のみにヒューズを挿入する。さらに、直流分配装置（２）内のヒューズポスト（ＦＰ）の接続点（Ｏ１）とコンデンサ収容箱（２３）の接続点（１Ａ）を直流給電ケーブル（１００）で接続して、ＦＰにショートヒューズを挿入する。この状態ではヒューズ端子台（ＦＵ１Ａ）とヒューズ端子台（ＦＵ２Ａ） にはヒューズが挿入されていないうえに、充電スイッチ（ＳＷ１）は開路状態であるため、直流分配装置（２）からコンデンサ群（Ｃｎ：ｎ＝１〜７）に充電電流が流れ込むことはない。
【００２９】
充電スイッチ（ＳＷ１）をオンすると、直列抵抗（Ｒ２）を有す充電状態表示用発光ダイオード（ＬＥＤ）と、抵抗（Ｒ１）とで構成される並列回路を通じて、接続点（５Ａ）と接続点（６Ａ）間に並列接続されているヒューズ端子台（ＦＵｎＢ：ｎ＝１〜７）を有するコンデンサ群（Ｃｎ：ｎ＝１〜７）に充電電流が流れてコンデンサ（Ｃｎ：ｎ＝１〜７）が充電される。
【００３０】
接続点（５Ａ）と接続点（６Ａ）間に流れる充電電流は抵抗（Ｒ１）と抵抗（Ｒ２）とＬＥＤの内部抵抗によって十分に抑制できるので、直流給電系に電圧変動を発生させることはない。コンデンサ群（Ｃｎ：ｎ＝１〜７）の充電が完了するとＬＥＤに充電電流が流れなくなるので、ＬＥＤは消灯する。
【００３１】
ＬＥＤが消灯するのを確認してから、ヒューズ端子台（ＦＵ１Ａ）とヒューズ端子台（ＦＵ２Ａ） にショートヒューズを挿入する。このとき、既にコンデンサ群（Ｃｎ：ｎ＝１〜７）は充電を完了しているので接続点（１Ａ）と接続点（５Ａ）間には電位差がない。したがって、ショートヒューズ挿入時に接続点（１Ａ）と接続点（５Ａ）間に電流が流れることはなく、電流分配装置（２）に電圧変動を与えない。こうして、電圧変動を与えることなく直流給電系にコンデンサ収容箱（２３）が安全に接続される。ＦＵ１Ａ、ＦＵ２Ａにショートヒューズを挿入した後にＳＷ１をオフにして置く。本例でも、コンデンサ収容箱（２３）内部のヒューズあるいはコンデンサの１個が故障した場合、ヒューズあるいはコンデンサに１個の冗長度を持たせているので、コンデンサ収容箱（２３）を直流給電系に接続したままで、故障のヒューズあるいはコンデンサを交換できる。
【００３２】
例えば、コンデンサ（Ｃ１）の交換が必要になった場合、充電スイッチ（ＳＷ１）のオフ状態を確認して、ヒューズ端子台群（ＦＵｎＢ：ｎ＝１〜７）のヒューズ端子台（ＦＵ１Ｂ）のみからヒューズを取外し、ヒューズ端子台（ＦＵ１Ｃ）にヒューズを挿入する。他のヒューズ端子台群（ＦＵｎＣ：ｎ≠１）にはヒューズを挿入しない。このとき、ヒューズ端子台（ＦＵ１Ｂ）にはヒューズが未挿入で、充電スイッチ（ＳＷ１）がオフしているため、コンデンサ（Ｃ１）に充電電流が流れることは無い。
【００３３】
この状態で充電スイッチ（ＳＷ１）をオンすると、抵抗Ｒ１と発光ダイオード（ＬＥＤ）とを経由する並列電流路によってコンデンサ（Ｃ１）は緩やかに充電される。充電時は発光ダイオード（ＬＥＤ）が点灯する。コンデンサ（Ｃ１）の充電が完了すると発光ダイオード（ＬＥＤ）が消灯する。
【００３４】
次に、ヒューズ端子台（ＦＵ１Ｂ）にヒューズを挿入する。接続点（１Ｂ）と接続点（５Ａ）間には電位差が無いので、ヒューズを挿入してもヒューズに電流が流れることはない。こうして、交換したコンデンサが直流給電系に組み込まれる。最後に、充電スイッチ（ＳＷ１）をオフして、ヒューズ端子台（ＦＵ１Ｃ）からヒューズを取り外し、抵抗（Ｒ１）と発光ダイオード（ＬＥＤ）とを経由するコンデンサ（Ｃ１）への充電回路を切り離す。
【００３５】
他のコンデンサ（Ｃｎ：ｎ＝２〜７）の交換が必要になった場合も上記したコンデンサ（Ｃ１）の交換例と同様な手順で交換する。またヒューズ端子台群（ＦＵｎＢ、ｎ＝１〜７）のヒューズの交換が必要な場合も同様の手順によって新しいヒューズに交換できる。
【００３６】
これまで、並列コンデンサ配置の冗長度が１の事例を説明したが、冗長度を２以上にした場合でも、コンデンサ収容箱全体を交換しなくとも、コンデンサ収容箱を直流給電系に接続したままで、部品交換時に突入電流が発生することなく、直流給電系への影響を最小限にとどめて、故障部品を１個ずつ、上記した手順で交換できることは明白である。
【図面の簡単な説明】
【００３７】
【図１】本発明の実施例１に係るコンデンサ収容箱の構成とそれが接続される直流給電系を示す。
【図２】本発明の実施例２に係るコンデンサ収容箱の構成とそれが接続される直流給電系を示す。
【図３】従来のコンデンサ収容箱の構成とそれが接続される直流給電系を示す。
【符号の説明】
【００３８】
１．電源装置
２．電流分配装置
３．コンデンサ収容箱
４．通信装置
２３．コンデンサ収容箱
３３．コンデンサ収容箱
１００．直流給電ケーブル
【図１】
2006196406.tif 000003
【図２】
2006196406.tif 000004
【図３】
2006196406.tif 000005